(57)【要約】【課題】差込みコネクタを、侵入する液体及び腐食作用のある媒体に対して確実に保護できるようにする。【解決手段】電気的な差込みコネクタであって、対応差込みコネクタの対応コンタクトエレメントとの電気的な連結のために少なくとも１つのコンタクトエレメント１４が設けられており、差込みコネクタ１１が導電体１８と接続されていて、該導電体１８が差込みコネクタ１１内においてシールされている形式のものにおいて、導電体１８が差込みコネクタ１１内において、差込みコネクタ１１のハウジング１２の接続区分１７におけるシール体２８によってシールされている。【選択図】図１
2010153380.tif 000002
【特許請求の範囲】
【請求項１】
電気的な差込みコネクタであって、対応差込みコネクタの対応コンタクトエレメントとの電気的な連結のために少なくとも１つのコンタクトエレメント（１４）が設けられており、差込みコネクタ（１１）が導電体（１８）と接続されていて、該導電体（１８）が差込みコネクタ（１１）内においてシールされている形式のものにおいて、導電体（１８）が差込みコネクタ（１１）内において、差込みコネクタ（１１）のハウジング（１２）の接続区分（１７）におけるシール体（２８）によってシールされていることを特徴とする、電気的な差込みコネクタ。
【請求項２】
接続区分（１７）においてコンタクトエレメント（１４）に、導電体（１８）のための第１の固定領域（２２）と第２の固定領域（２６）とが形成されている、請求項１記載の差込みコネクタ。
【請求項３】
第１の固定領域（２２）に、導電体（１８）の絶縁外層（２１）に係合する、導電体（１８）のための引張り負荷軽減体（２３）が形成されていて、第２の固定領域（２６）に、金属撚り線（１９）に取り付けられたクランプ結合体（２７）が、導電体（１８）とコンタクトエレメント（１４）との電気的な接触接続のために形成されている、請求項２記載の差込みコネクタ。
【請求項４】
シール体（２８）がゲル物質（２９）として形成されていて、両固定領域（２２，２６）が、特に金属撚り線（１９）も含めて、ハウジング（１２）に対してシールされている、請求項３記載の差込みコネクタ。
【請求項５】
ゲル物質（２９）がゲルマット（３１）として形成されている、請求項４記載の差込みコネクタ。
【請求項６】
ゲルマット（３１）が押圧プレート（３２）によって形成されている、請求項５記載の差込みコネクタ。
【請求項７】
シール体（２８）が単心線シール部材（３３）として形成されている、請求項３記載の差込みコネクタ。
【請求項８】
単心線シール部材（３３）が弾性的に弾発するように、一方では環状のシールウェブ（３４）でクランプ結合体（２７）及びハウジング（１２）に対してシール作用をもって接触し、かつ他方では環状のシールリップ（３７）でハウジング（１２）に対してシール作用をもって接触している、請求項７記載の差込みコネクタ。
【発明の詳細な説明】
【技術分野】
【０００１】
本発明は、電気的な差込みコネクタであって、対応差込みコネクタの対応コンタクトエレメントとの電気的な連結のために少なくとも１つのコンタクトエレメントが設けられており、差込みコネクタが導電体と接続されていて、該導電体が差込みコネクタ内においてシールされている形式のものに関する。
【背景技術】
【０００２】
ＤＥ４２３５２４５Ｃ２には、コネクタハウジングをコンタクト保持体として有するコネクタを備えていて、該コネクタが対応コネクタと解離可能に連結可能である形式の電気的な差込みコネクタが開示されている。コンタクト保持体は、コンタクトブシュとして形成された各１つのコンタクトエレメントのために複数の収容室を有している。コンタクトエレメントは導電体に接続されている。収容室へのコンタクトエレメントの挿入後に、接続区分から突出している導電体の部分区分が、なお収容室の円筒形の端部領域内において延びている。
【０００３】
コネクタと対応コネクタとのコンタクト箇所における接触腐食を回避するために、異物、特に水が収容室から遠ざけられており、この場合、収容室内を延びている導電体の部分区分は、単心線シール部材と弾性材料製の付加的なリングシール部材とによって取り囲まれており、これらのシール部材は収容室の円筒形の端部領域の内壁にも弾発するようにシール作用をもって接触している。
【０００４】
さらに、収容室において導電体の撚り線の内部に液体が侵入することを、付加的なシール手段を撚り線に含浸させて硬化させることによって、回避することが公知である。
【先行技術文献】
【特許文献】
【０００５】
【特許文献１】ＤＥ４２３５２４５Ｃ２
【発明の概要】
【発明が解決しようとする課題】
【０００６】
ゆえに本発明の課題は、冒頭に述べた形式の電気的な差込みコネクタを改良して、差込みコネクタを、侵入する液体及び腐食作用のある媒体に対して確実に保護できるようにすることである。
【課題を解決するための手段】
【０００７】
この課題を解決するために本発明の構成では、冒頭に述べた形式の電気的な差込みコネクタにおいて、導電体が差込みコネクタ内において、差込みコネクタのハウジングの接続区分におけるシール体によってシールされている。
【発明の効果】
【０００８】
対応差込みコネクタの対応コンタクトエレメントとの電気的な連結のために少なくとも１つのコンタクトエレメントが設けられていて、差込みコネクタが導電体と接続されていて、該導電体が差込みコネクタ内においてシールされている形式の電気的な差込みコネクタにおいて、導電体が差込みコネクタ内において、差込みコネクタのハウジングの接続区分におけるシール体によってシールされている、本発明による差込みコネクタでは、製造技術的に簡単かつ安価にシールを達成することができる。
【０００９】
本発明の別の有利な実施形態は、請求項２以下に記載されている。
【００１０】
接続区分における導電体のための第１の固定領域と第２の固定領域とによって、接続区分は全面的に差込みコネクタ内において固定され、その結果そこで生じるハウジングに対するシール作用は、特に有効になる。
【００１１】
第１の固定領域において導電体の絶縁材料に係合する引張り負荷軽減体と、第２の固定領域において導電体の金属撚り線に取り付けられたクランプ結合体とが設けられていて、第１及び第２の固定領域が、ゲル物質として形成されたシール体によって均一に負荷されることによって、導電体において全面的なシール作用が得られる。
【００１２】
ゲル物質をゲルプレートとして形成することによって、ゲル物質を、差込みコネクタを製造するために、予め製造して準備することができる。
【００１３】
ゲルプレートを押圧プレートによって負荷することによって、特に安定的なシール作用が得られる。
【００１４】
シール体が単心線シール部材として形成されていることによって、予め製造可能な市販の安価なシール部材を得ることができる。
【００１５】
また、単心線シール部材が弾性的に弾発するように、一方では環状のシールウェブでクランプ結合体及びハウジングに対してシール作用をもって接触し、かつ他方では環状のシールリップでハウジングに対してシール作用をもって接触していると、差込みコネクタを全面的にシールすることができる。
【図面の簡単な説明】
【００１６】
【図１】本発明による差込みコネクタの第１実施例を示す断面図である。
【図２】本発明による差込みコネクタの第２実施例を示す断面図である。
【発明を実施するための形態】
【００１７】
次に図面を参照しながら本発明の実施の形態を説明する。
【００１８】
図１及び図２に一部が示されている電気的な差込みコネクタ１１は、電気的な差込み接続部を形成するために対応コネクタに供給されるワイヤハーネスコネクタである。対応コネクタは電気式の制御装置内に位置固定に設けられたナイフ条片（Messerleiste）であってよい。
【００１９】
差込みコネクタ１１は、プラスチック製のコンタクト保持体としてハウジング１２を有しており、このハウジング１２内には、コンタクトエレメント１４のための収容室１３が形成されている。コンタクトエレメント１４はそれぞれ一端に、対応コネクタの対応配置された対応コンタクトエレメントとの連結のためにコンタクト区分１６を備えている。
【００２０】
コンタクトエレメント１４の他方の端部は、コネクタ１１の接続区分１７に進入している。この接続区分１７には、ワイヤハーネスの１構成部分として導電体１８が供給される。導電体１８は金属撚り線１９とプラスチック製の絶縁外層２１とから形成されている。導電体１８には、接続区分１７において第１の固定領域２２では引張り負荷軽減体２３が係合しており、この引張り負荷軽減体２３は、絶縁外層２１に押圧して取り付けられたコンタクトエレメント１４の金属薄板舌片２４の形で実現されている。導電体１８は他方において、接続区分１７の第２の固定領域２３において、金属撚り線１９を把持するクランプ結合体２７を用いてコンタクトエレメント１４と堅く固定されている。気密なつまり気体に対してシール性を有している、このクランプ結合体２７によって、導電体１８とコンタクトエレメント１４との電気的な接触接続が行われている。
【００２１】
コンタクトエレメント１４をシールするために、接続区分１７内にはシール体２８が設けられており、このシール体２８は少なくとも部分的に接続区分１７の両固定領域２２，２６にわたって延びている。
【００２２】
図１に示された第１実施例ではシール体２８は、ゲル物質２９から成っており、このゲル物質２９はゲルマット３１として形成されている。クランプ結合体２７においても引張り負荷軽減体２３においても導電体１８との完全な嵌合部もしくは形状結合部（Formschluss）を得るために、ゲルマット３１は押圧プレート３２によって負荷されており、その結果両固定領域２２，２６において導電体１８へのゲルマット３１の完全な密着が行われる。これによって特に金属撚り線１９もゲル物質２９内に位置することになり、ひいては金属撚り線１９はゲル物質２９内においてシールされる。
【００２３】
図２に示された第２実施例では、シール体２８は単心線シール部材３３として形成されており、弾性的に弾発するように一方では環状のシールウェブ３４で、クランプ結合部２７とハウジング１２の収容室１３の内壁３６に接触し、かつ他方では環状のシールリップ３７で、ハウジング１２の収容室１３の内壁３６に接触している。単心線シール部材３３はこれによってハウジング１２に対してもクランプ結合体２７に対してもシール作用を発揮する。
【００２４】
図１及び図２に示された両実施例に相応して、電気的な差込みコネクタ１１は製造技術的に簡単にかつ安価に、液体及び腐食作用のある媒体の侵入を防止されている。
【符号の説明】
【００２５】
１１  差込みコネクタ、  １２  ハウジング、  １３  収容室、  １４  コンタクトエレメント、  １６  コンタクト区分、  １７  接続区分、  １８  導電体、  １９  金属撚り線、  ２１  絶縁外層、  ２２  固定領域、  ２３  引張り負荷軽減体、  ２４  金属薄板舌片、  ２７  クランプ結合体、  ２８  シール体、  ２９  ゲル物質、  ３１  ゲルマット、  ３２  押圧プレート、  ３３  単心線シール部材、  ３４  シールウェブ、  ３６  内壁、  ３７  シールリップ
【図１】
2010153380.tif 000003
【図２】
2010153380.tif 000004